(57)【特許請求の範囲】
【請求項１】
放送信号を受信するとともに中間周波数信号に変換するチューナ回路と、チューナ回路から出力される信号より所定の周波数帯域の信号を通過させるフィルタ回路と、フィルタ回路を通過した中間周波数信号を復調する復調回路と、自動的に放送信号が存在するチャンネルを選局する自動選局回路とを有する放送信号受信装置において、
前記自動選局回路が、前記フィルタ回路を通過した信号の信号レベルに基づいて、放送信号が存在するチャンネルを受信したか否かを判断するとともに、
前記フィルタ回路が、
中間周波数信号を選択して通過させるためのフィルタと、
該フィルタと並列に接続されるとともに、コンデンサとスイッチとを直列に接続して構成される周波数帯域切換回路と、を有するとともに、
放送信号が受信されている場合は、前記スイッチをＯＦＦとして、前記フィルタのみが動作し、
又、自動選局が行われる場合は、前記スイッチをＯＮとして、前記フィルタと前記コンデンサを並列に接続された回路が通過周波数帯域の広いフィルタとして動作することを特徴とするの放送信号受信装置。
【請求項２】
前記スイッチが能動素子で構成され、前記スイッチをＯＦＦにする際、逆バイアスが印加されることを特徴とする請求項１に記載の放送信号受信装置。
【請求項３】
前記フィルタ回路が、
前記フィルタを通過する信号を増幅する増幅回路と、
該増幅回路の増幅率を切り換える増幅率切換回路と、を有し、
自動選局が行われる際、放送信号受信時よりも、前記増幅回路の増幅率が大きくなるように、前記増幅率切換回路によって切り換えられることを特徴とする請求項１又は請求項２に記載の放送信号受信装置。
【請求項４】
前記増幅回路が、ベースに前記フィルタを通過した信号が入力されるとともにエミッタに負荷抵抗が接続されたトランジスタを備え、
前記増幅率切換回路が、前記負荷抵抗の抵抗値を切り換えることによって、前記増幅回路の増幅率を切り換えることを特徴とする請求項３に記載の放送信号受信装置。
【請求項５】
前記増幅率切換回路が、前記負荷抵抗と並列に接続されるともに、抵抗とスイッチとを直列に接続して構成され、
放送信号が受信されている場合は、前記増幅率切換回路内の前記スイッチをＯＦＦとして、前記トランジスタのエミッタに前記負荷抵抗のみが接続された状態とし、
又、自動選局が行われる場合は、前記増幅率切換回路内の前記スイッチをＯＮとして、前記負荷抵抗と前記抵抗との並列回路が前記トランジスタのエミッタに接続された状態にして、放送信号受信時よりも、前記増幅回路の増幅率が大きくなるようにすることを特徴とする請求項４に記載の放送信号受信装置。
【請求項６】
前記自動選局回路によって放送信号が存在するチャンネルを選局する際、
前記フィルタ回路の通過周波数帯域を、前記チューナ回路より出力される現在受信しているチャンネルに隣接するチャンネルによる信号をも通過させることのできる通過周波数帯域に切り換えることを特徴とする請求項１〜請求項５のいずれかに記載の放送信号受信装置。
【請求項７】
前記中間周波数信号の周波数ｆif、受信する放送信号における隣接チャンネルのチャンネル間周波数をｆsのとき、
自動選局を行う際に切り換えられた前記フィルタ回路の通過周波数帯域が、ｆif−ｆs〜ｆif＋ｆsの周波数帯域より広く、且つ、ｆif−２×ｆs〜ｆif＋２×ｆsの周波数帯域より狭い周波数帯域とすることを特徴とする請求項１〜請求項６のいずれかに記載の放送信号受信装置。
【請求項８】
更に、フィルタ回路を通過した信号の周波数を計測する周波数計測手段と、
該周波数計測手段で計測された周波数が、所定の許容範囲内に収まるか否かが判定される中間周波数判定手段と、を有し、
前記自動選局回路によって放送信号の存在するチャンネルを受信したと認識されたとき、前記チューナ回路より前記フィルタ回路を介して与えられる信号の周波数を前記周波数計測手段で計測するとともに、この計測した周波数が所定の許容範囲内の周波数であるか否かを前記中間周波数判定手段で判定し、所定の許容範囲内にあると判定されたとき、自動選局動作を停止することを特徴とする請求項１〜請求項７のいずれかに記載の放送信号受信装置。
【請求項９】
前記所定の許容範囲が、受信する放送信号における隣接チャンネルのチャンネル間周波数よりも狭い周波数範囲であることを特徴とする請求項８に記載の放送信号受信装置。
【発明の詳細な説明】
【０００１】
【発明の属する技術分野】
本発明は、自動的に選局することが可能な放送信号受信装置に関するもので、特に、ＰＬＬ（Ｐｈａｓｅ  Ｌｏｃｋｅｄ  Ｌｏｏｐ）を利用したＤＴＳ（Ｄｉｇｉｔａｌ  Ｔｕｎｉｎｇ  Ｓｙｓｔｅｍ）方式の放送信号受信装置に関する。
【０００２】
【従来の技術】
従来使用されているＤＴＳ方式の放送信号受信装置の内部構成を、図６に示す。図６の放送信号受信装置は、アンテナ９より受信した放送信号が、チューナ回路１内の不図示の局部発振器（以下、「ＶＣＯ」と呼ぶ）から発振される局部発振信号が混合されることによって、中間周波数信号（以下、「ＩＦ信号」と呼ぶ）に変換される。このようにＩＦ信号が生成される際、マイコン１０１で設定された受信信号の周波数が、位相同期ループ用ＩＣ（以下、「ＰＬＬＩＣ」と呼ぶ）５に与えられ、この受信信号の周波数に中間周波数が加算された発振周波数の局部発振信号をＶＣＯが発振するように、ＰＬＬＩＣ５とローパスフィルタ（以下、「ＬＰＦ」と呼ぶ）３とＶＣＯより成る位相同期ループ回路（ＰＬＬ回路）が駆動する。
【０００３】
チューナ回路１で生成されたＩＦ信号は、中間周波数をｆｉｆ、放送信号のチャンネル間周波数（チャンネルスパン）をｆｓとすると、ｆｉｆ±ｆｓ／２の周波数帯域内の信号が、フィルタ部１００を通過して復調部４に送出される。復調部４では、その内部に備えた復調回路１２において、ＩＦ信号が復調される。そして、復調回路１２で復調された信号がオーディオアンプ７で増幅された後、スピーカ８より音声として出力される。
【０００４】
この放送信号受信装置において、フィルタ部１００では、チューナ回路１より与えられるＩＦ信号が、まず、フィルタＦＬ１を通過後、抵抗Ｒ３，Ｒ４，Ｒ５，Ｒ６及びｎｐｎ型トランジスタＴｒ１によって成る増幅回路で増幅される。そして、この増幅されたＩＦ信号がフィルタＦＬ２に与えられ、ノイズ成分が除去されたＩＦ信号が、復調部４に送出される。
【０００５】
又、復調部４では、ＩＦアンプ１３でフィルタ部１００を通過したＩＦ信号が増幅される。この増幅されたＩＦ信号は、レベル検出回路１４、ＩＦカウンタアンプ１６、及び復調回路１２に与えられる。レベル検出回路１４では、ＩＦアンプ１３で増幅されたＩＦ信号が入力されると、ＩＦ信号の電圧の振幅レベルが検出される。このレベル検出回路１４で検出されたＩＦ信号の振幅レベルがレベル検出回路１４の内部等価抵抗Ｒ１とコンデンサＣ１で構成される積分回路で積算され、この積算された電圧がｎｐｎ型トランジスタＴｒ２のベースに与えられ、トランジスタＴｒ２をＯＮ／ＯＦＦする。
【０００６】
又、レベル検出回路１４で検出されたＩＦ信号の振幅レベルがＡＧＣ（Ａｕｔｏｍａｔｉｃ  Ｇａｉｎ  Ｃｏｎｔｒｏｌｌｅｒ）１５に与えられ、この振幅レベルに応じてＩＦアンプ１３の増幅率を変化させ、一定の振幅レベルのＩＦ信号がＩＦアンプ１３より出力されるようにフィードバック制御される。更に、トランジスタＴｒ２は、抵抗Ｒ２を介してコレクタに＋Ｂとなる直流電圧が印加されている。よって、コンデンサＣ１に現れる電圧が閾値電圧ＶＴＨとなるベース・エミッタ間電圧より低いとき、ＰＬＬＩＣ５の端子ＳＤに与えられる信号は、ハイレベル（Ｈｉ）である。そして、放送信号が存在して、その電界強度が大きくなると、コンデンサＣ１に現れる電圧が閾値電圧ＶＴＨを越えるため、ＰＬＬＩＣ５の端子ＳＤにローレベル（Ｌｏｗ）の信号が与えられる。
【０００７】
ＩＦカウンタアンプ１６では、ＩＦアンプ１３より与えられるＩＦ信号の周波数がＰＬＬＩＣ５で計数できるように、このＩＦ信号を増幅するとともに、トランジスタＴｒ２でＯＮ／ＯＦＦ制御されるスイッチＳＷと、直流成分カット用のコンデンサＣ２とを介して、ＰＬＬＩＣ５に増幅したＩＦ信号をＰＬＬＩＣ５の端子Ｉｆに送出する。このとき、スイッチＳＷは、トランジスタＴｒ２がＯＮとなったとき、ＯＮとなるように制御される。
【０００８】
このように構成される放送信号受信装置において自動選局動作（オートスキャン）が行われたときの動作について、以下に簡単に説明する。尚、以下に説明する動作は、周波数の高い側に選局した（スキャンアップ）場合の動作である。周波数ｆＲ１の放送信号が受信されているときに、スキャンアップするようにマイコン１０１にキー入力されると、チャンネル間周波数ｆｓ毎にスキャンアップするように、ＰＬＬＩＣ５に指示が与えられる。
【０００９】
ＰＬＬＩＣ５では、ＶＣＯより発振される局部発振信号の周波数をｆｓ毎に高くするように制御し、そして、周波数を高くする毎に、その局部発振信号の発振周波数が固定された（ＰＬＬロック）ことを確認した後、この固定された局部発振信号によって受信される周波数のチャンネルにおける電界強度を端子ＳＤに与えられる信号より確認する。このようにして、図７のように、その周波数がｆＲ２−ｆｓのチャンネルまで確認されたものとする。尚、周波数ｆＲ２となる信号が、次の放送信号であるものとする。
【００１０】
図７のように、周波数ｆＲ１＋ｆｓ〜ｆＲ２−ｆｓのチャンネルには、放送信号が存在しないため、閾値ＶＴＨを越える電圧を与える電界強度が得られず、端子ＳＤに与えられる信号はＨｉのままである。又、トランジスタＴｒ２がＯＦＦであるので、スイッチＳＷもＯＦＦのままとなり、端子Ｉｆに、ＩＦ信号が入力されない。このとき、各受信信号における確認期間において、ＰＬＬロックにかかる時間がＴＬ、端子ＳＤに与えられる信号の信号レベルの確認されるのにかかる時間がＴＳＤとなる。
【００１１】
そして、周波数ｆＲ２−ｆｓのチャンネルに、放送信号が存在しないことが確認されると、局部発振信号の発振周波数がｆＲ２＋ｆｉｆ（尚、ｆｉｆは中間周波数）に変更されて、周波数ｆＲ２のチャンネルでの放送信号の有無の確認が行われる。このとき、同様に、まず、局部発振信号が周波数ｆＲ２＋ｆｉｆにＰＬＬロックされたか確認された後、端子ＳＤに入力される信号の信号レベルが確認される。今、周波数ｆＲ２のチャンネルに放送信号が存在するので、時間ＴＳＤの間に、トランジスタＴｒ２がＯＮとなる。
【００１２】
よって、図７のように、端子ＳＤに入力される信号がＬｏｗとなるとともに、端子ＩｆにＩＦ信号が入力される。そして、端子ＳＤに入力される信号がＬｏｗとなることが確認されて、放送信号が存在することが確認されると、端子Ｉｆに入力されるＩＦ信号がカウントされて、その周波数が所定の誤差内の周波数か判定され、所定の誤差内に収まるとき、放送信号として認識して、周波数ｆＲ２でオートスキャンを停止する。
【００１３】
【発明が解決しようとする課題】
ところで、このオートスキャンに要する時間を短縮する（即ち、スキャンスピードを上げる）には、各チャンネルにおける確認時間ＴＲ＝ＴＬ＋ＴＳＤを短くする必要がある。この確認時間ＴＲは、ＰＬＬＩＣ５とマイコン６間で行われる処理に関するソフトウェアを変更することによって、短くすることができる。しかしながら、端子ＳＤに入力される信号がＨｉからＬｏｗに切り替わる応答時間ｔＳＤは、ハード面を変更する以外に、変更することができない。よって、確認時間ＴＲが短くなり、ｔＳＤ＞ＴＲとなったとき、放送信号を受信したとしても、オートスキャンが停止されずに、次の受信信号の確認を行うという不具合が発生する。
【００１４】
即ち、図８のように、放送信号である周波数ｆＲ２のチャンネルについて確認動作が行われるとき、図７の場合と同様、まず、局部発振信号がＰＬＬロックされた後、端子ＳＤへの入力信号がＬｏｗに切り替わったか否かが確認される。しかしながら、ｔＳＤ＞ＴＲであるため、この確認期間が終了するまでに、端子ＳＤへの入力信号が切り替わることがなく、周波数ｆＲ２の放送信号が入力されたことが確認されず、次の周波数ｆＲ２＋ｆｓのチャンネルについての確認動作が行われる。
【００１５】
このような問題を鑑みて、本発明は、オートスキャンにかかる時間を短縮するとともに、正確に、放送信号を検出することができる放送信号受信装置を提供することを目的とする。
【００１６】
【課題を解決するための手段】
上記目的を達成するために、本発明の放送信号受信装置は、放送信号を受信するとともに中間周波数信号に変換するチューナ回路と、チューナ回路から出力される信号より所定の周波数帯域の信号を通過させるフィルタ回路と、フィルタ回路を通過した中間周波数信号を復調する復調回路と、自動的に放送信号が存在するチャンネルを選局する自動選局回路とを有する放送信号受信装置において、前記自動選局回路が、前記フィルタ回路を通過した信号の信号レベルに基づいて、放送信号が存在するチャンネルを受信したか否かを判断するとともに、前記フィルタ回路が、中間周波数信号を選択して通過させるためのフィルタと、該フィルタと並列に接続されるとともに、コンデンサとスイッチとを直列に接続して構成される周波数帯域切換回路と、を有するとともに、放送信号が受信されている場合は、前記スイッチをＯＦＦとして、前記フィルタのみが動作し、又、自動選局が行われる場合は、前記スイッチをＯＮとして、前記フィルタと前記コンデンサを並列に接続された回路が通過周波数帯域の広いフィルタとして動作することを特徴とする。
【００１７】
このような放送信号受信装置において、自動選局を行う際、チューナ回路で変換された受信チャンネルの信号及び該受信チャンネルに隣接するチャンネルの信号を通過させるように、フィルタ回路の通過周波数帯域を広くする。そして、このフィルタ回路を通過した信号の信号レベルを積分して、放送信号の有無を検知する。このとき、フィルタ回路を通過した信号の信号レベルの積分値と比較する閾値レベルを、放送信号を有するチャンネルに隣接したチャンネルを受信している場合に放送信号があると認識しないような値に設定する。
【００１９】
更に、前記スイッチが能動素子で構成され、前記スイッチをＯＦＦにする際、逆バイアスが印加されるようにして、アイソレーションを良くすることで、前記スイッチがＯＦＦの時において、フィルタ回路からの信号の漏れを防ぐことができる。
【００２０】
又、本発明の放送信号受信装置は、前記フィルタ回路が、前記フィルタを通過する信号を増幅する増幅回路と、該増幅回路の増幅率を切り換える増幅率切換回路と、を有し、自動選局が行われる際、放送信号受信時よりも、前記増幅回路の増幅率が大きくなるように、前記増幅率切換回路によって切り換えられることを特徴とする。
【００２１】
このような放送信号受信装置において、前記増幅回路が、ベースに前記フィルタを通過した信号が入力されるとともにエミッタに負荷抵抗が接続されたトランジスタを備え、前記増幅率切換回路が、前記負荷抵抗の抵抗値を切り換えることによって、前記増幅回路の増幅率を切り換えるようにしても構わない。
【００２２】
又、前記増幅率切換回路が、前記負荷抵抗と並列に接続されるともに、抵抗とスイッチとを直列に接続して構成され、放送信号が受信されている場合は、前記増幅率切換回路内の前記スイッチをＯＦＦとして、前記トランジスタのエミッタに前記負荷抵抗のみが接続された状態とし、又、自動選局が行われる場合は、前記増幅率切換回路内の前記スイッチをＯＮとして、前記負荷抵抗と前記抵抗との並列回路が前記トランジスタのエミッタに接続された状態にして、放送信号受信時よりも、前記増幅回路の増幅率が大きくなるようにしても構わない。
【００２３】
又、本発明の放送信号受信装置は、前記自動選局回路によって放送信号が存在するチャンネルを選局する際、前記フィルタ回路の通過周波数帯域を、前記チューナ回路より出力される現在受信しているチャンネルに隣接するチャンネルによる信号をも通過させることのできる通過周波数帯域に切り換えることを特徴とする。
【００２４】
又、本発明の放送信号受信装置は、前記中間周波数信号の周波数ｆif、受信する放送信号における隣接チャンネルのチャンネル間周波数をｆsのとき、自動選局を行う際に切り換えられた前記フィルタ回路の通過周波数帯域が、ｆif−ｆs〜ｆif＋ｆsの周波数帯域より広く、且つ、ｆif−２×ｆs〜ｆif＋２×ｆsの周波数帯域より狭い周波数帯域とすることを特徴とする。
【００２５】
又、本発明の放送信号受信装置は、更に、フィルタ回路を通過した信号の周波数を計測する周波数計測手段と、該周波数計測手段で計測された周波数が、所定の許容範囲内に収まるか否かが判定される中間周波数判定手段と、を有し、前記自動選局回路によって放送信号の存在するチャンネルを受信したと認識されたとき、前記チューナ回路より前記フィルタ回路を介して与えられる信号の周波数を前記周波数計測手段で計測するとともに、この計測した周波数が所定の許容範囲内の周波数であるか否かを前記中間周波数判定手段で判定し、所定の許容範囲内にあると判定されたとき、自動選局動作を停止することを特徴とする。
【００２６】
又、本発明の放送信号受信装置は、前記所定の許容範囲が、受信する放送信号における隣接チャンネルのチャンネル間周波数よりも狭い周波数範囲であることを特徴とする。
【００２７】
【発明の実施の形態】
＜第１の実施形態＞
本発明の第１の実施形態について、図面を参照して説明する。図１は、本実施形態の放送信号受信装置の内部構成を示すブロック回路図である。図１の放送信号受信装置は、チューナ回路１と、フィルタ部２と、ＬＰＦ３と、復調部４と、ＰＬＬＩＣ５と、マイコン６と、オーディオアンプ７と、スピーカ８と、アンテナ９とで構成される。
【００２８】
１．各部の構成
チューナ回路１は、アンテナ９で受信された受信信号を増幅するアンプ１７と、ＬＰＦ３及びＰＬＬＩＣ５とでＰＬＬ回路を構成するとともに局部発振信号を送出するＶＣＯ１８と、アンプ１７で増幅された受信信号をＶＣＯ１８からの局部発振信号と混合してＩＦ信号を生成するミキサ１９と、ミキサ１９で生成されたＩＦ信号を増幅するアンプ２０とから構成される。
【００２９】
又、フィルタ部２は、フィルタ部１００（図６）と同様の構成となるフィルタＦＬ１，ＦＬ２及び抵抗Ｒ３，Ｒ４，Ｒ５，Ｒ６とトランジスタＴｒ１で構成される増幅回路と、抵抗Ｒ７，Ｒ８，Ｒ９及びダイオードＤ１及びコンデンサＣ３，Ｃ４で構成されるとともにフィルタ部２を通過する信号の周波数帯域を変化させる中間周波数帯域切換回路２１とから構成される。
【００３０】
このフィルタ部２において、フィルタＦＬ１の入力側がアンプ２０の出力側に接続されるとともに、その出力側が一端が接地された抵抗Ｒ３の他端及び抵抗Ｒ４の一端及びトランジスタＴｒ１のベースに接続される。トランジスタＴｒ１のコレクタには、抵抗Ｒ４の他端及び一端に直流電圧＋Ｂが印加された抵抗Ｒ５の他端及びフィルタＦＬ２の入力側が接続されるとともに、そのエミッタに一端が接地された抵抗Ｒ６の他端が接続される。
【００３１】
更に、フィルタ部２内の中間周波数帯域切換回路２１において、フィルタＦＬ１の入力側にコンデンサＣ３の一端が接続されるとともに、このコンデンサＣ３の他端に抵抗Ｒ７，Ｒ８の一端及びダイオードＤ１のアノードが接続され、抵抗Ｒ７の他端に一端が接地されたコンデンサＣ４の他端が、そして、ダイオードＤ１のカソードに一端がフィルタＦＬ１の出力側に接続された抵抗Ｒ９の他端が接続される。尚、抵抗Ｒ８の他端が接地される。
【００３２】
又、復調部４は、図６の放送信号受信装置と同様、フィルタＦＬ２を通過したＩＦ信号を増幅するＩＦアンプ１３と、ＩＦアンプ１３で増幅されたＩＦ信号を復調する復調回路１２と、ＩＦアンプ１３で増幅されたＩＦ信号の振幅レベルを検出するレベル検出回路１４と、レベル検出回路１４で検出されたＩＦ信号の振幅レベルに応じてＩＦアンプ１３の増幅率を変化させるＡＧＣ１５と、レベル検出回路１４の内部等価抵抗Ｒ１と、内部等価抵抗Ｒ１と復調部４外部に設けられるコンデンサＣ１との接続ノードにベースが接続されるとともにエミッタが接地されたトランジスタＴｒ２と、ＩＦアンプ１３で増幅されたＩＦ信号を更に増幅するＩＦカウンタアンプ１６と、トランジスタＴｒ２に応じてＯＮ／ＯＦＦ制御されるスイッチＳＷとから構成される。
【００３３】
そして、トランジスタＴｒ２のコレクタに現れる電圧がＰＬＬＩＣ５の端子ＳＤに入力されるとともに、スイッチＳＷの制御信号としてスイッチＳＷに与えられ、又、スイッチＳＷ及びコンデンサＣ２を介して、ＩＦカウンタアンプ１６で増幅されたＩＦ信号が端子Ｉｆに与えられる。
【００３４】
２．受信放送の再生動作
まず、このような構成の放送信号受信装置の受信放送の再生動作について、以下に説明する。ユーザーによって、あるチャンネルの放送を再生するようにマイコン６にキー入力されると、マイコン６が、そのチャンネルの放送信号を受信するように、ＰＬＬＩＣ５に指示する。この受信する放送信号の周波数をｆＲとしたとき、ＰＬＬＩＣ５、ＶＣＯ１８より帰還される局部発振信号の分周率を変化させるなどして、ＶＣＯ１８より発振される局部発振信号の周波数がｆＲ＋ｆｉｆとなるようにＰＬＬ制御を行う。
【００３５】
尚、このとき、マイコン６より抵抗Ｒ７及びコンデンサＣ４の接続ノードにグランド電圧となる直流電圧が出力される。よって、ダイオードＤ１のアノードに抵抗Ｒ８を介してグランド電圧が印加されるとともに、ダイオードＤ１のカソードに抵抗Ｒ９を介してトランジスタＴｒ１のベース電圧が印加されるため、ダイオードＤ１に逆バイアスが印加された状態となり、中間周波数帯域切換回路２１が動作しない。
【００３６】
そして、ＶＣＯ１８より発振される局部発振信号の周波数がｆＲ＋ｆｉｆにＰＬＬロックされると、この局部発振信号と受信信号とがミキサ１９で混合されて、周波数ｆＲの放送信号が中間周波数ｆｉｆのＩＦ信号として、アンプ２０で増幅された後、チューナ回路１より出力される。そして、まず、フィルタＦＬ１を、このＩＦ信号が通過した後、通過したＩＦ信号が抵抗Ｒ３〜Ｒ６及びトランジスタＴｒ１によって構成される増幅回路で増幅される。次に、増幅されたＩＦ信号は、フィルタＦＬ２を通過して、復調部４のＩＦアンプ１３で増幅される。
【００３７】
ＩＦアンプ１３で増幅されたＩＦ信号は、復調回路１２で音声信号に復調された後、オーディオアンプ７で所定レベルまで増幅される。そして、この増幅された音声信号が、スピーカ８において音声として再生される。又、このとき、ＩＦアンプ１３で増幅されたＩＦ信号がレベル検出回路１４に与えられて、ＩＦ信号の振幅レベルが検出される。そして、検出された振幅レベルに応じて、ＡＧＣ１５がＩＦアンプ１３の増幅率を変化させることによって、ＩＦアンプ１４より出力されるＩＦ信号の振幅レベルが一定に保たれる。
【００３８】
３．オートスキャン
オートスキャン時における放送信号受信装置の動作について、図２のフローチャートに基づいて説明する。まず、ユーザーによってマイコン６にキー入力されることで、オートスキャンが開始する（ＳＴＥＰ１）。このとき、マイコン６では、ユーザーからの入力キーより、現在受信中の放送信号ｆＲ１よりも高周波数側にスキャン動作を行うのか、又は、低周波数側にスキャン動作を行うのか判断するとともに、中間周波数帯域切換回路２１が動作するように中間周波数帯域切換回路２１にグランド電圧より高い直流電圧を出力する。
【００３９】
次に、現在受信中の放送信号のチャンネルに対して高周波側又は低周波側に隣接したチャンネルの周波数ｆＲ１±ｆｓの信号を受信するように、マイコン６からＰＬＬＩＣ５に指示される（ＳＴＥＰ２）。このように指示されると、ＰＬＬＩＣ５に帰還されるＶＣＯ１８からの局部発振信号の分周率を変更するなどして、ＶＣＯ１８からの局部発振信号の発振周波数がｆＲ１±ｆｓ＋ｆｉｆとなるように、ＬＰＦ３、ＰＬＬＩＣ５、及びＶＣＯ１８で構成されるＰＬＬ回路でＰＬＬ制御を行う。
【００４０】
そして、このようにＶＣＯ１８からの局部発振信号の周波数が、ｆＲ１±ｆｓ＋ｆｉｆにＰＬＬロックしたか否かが、ＰＬＬＩＣ５で判断され（ＳＴＥＰ３）、ＰＬＬロックした場合（Ｙｅｓ）は次のＳＴＥＰ４に移行し、又、ＰＬＬロックしていない場合（Ｎｏ）は再びＳＴＥＰ３でＰＬＬロックしたか否かが判断される。ＰＬＬロックされると、局部発振信号と受信信号よりＩＦ信号がチューナ回路１より、フィルタ部２を通過して復調部４に出力される。
【００４１】
復調部４では、入力されるＩＦ信号がＩＦアンプ１３で増幅された後、レベル検出回路１４に送出され、ＩＦ信号の振幅レベルが検出される。そして検出された振幅レベルが、レベル検出回路１４の内部等価抵抗Ｒ１とコンデンサＣ１とで構成される積分回路で積分され、その積分結果がトランジスタＴｒ２のベース電圧として現れる。このとき、放送信号が受信されて電界強度が高く、トランジスタＴｒ２のベース電圧が閾値電圧ＶＴＨより高くなったとき、トランジスタＴｒ２がＯＮとなり、Ｌｏｗの信号がＰＬＬＩＣ５の端子ＳＤに入力される。尚、受信されたチャンネルに放送信号がなく、トランジスタＴｒ２がＯＦＦのとき、抵抗Ｒ２を介して直流電圧＋ＢとなるＨｉの信号がＰＬＬＩＣ５の端子ＳＤに入力される。
【００４２】
このように、ＰＬＬＩＣ５の端子ＳＤに入力される信号のレベルによって、受信チャンネル内に放送信号が存在するか否か判断され（ＳＴＥＰ４）、放送信号が受信されているとき（Ｙｅｓ）は、トランジスタＴｒ２によってスイッチＳＷがＯＮとされ、ＩＦアンプ１３より与えられたＩＦ信号が更にＩＦカウンタアンプ１６で増幅されて、スイッチＳＷを介してＰＬＬＩＣ５の端子Ｉｆに出力されて、ＩＦ信号の周波数が計測される（ＳＴＥＰ５）。尚、ＳＴＥＰ４で受信信号が放送信号でないとき（Ｎｏ）は、ＳＴＥＰ２に移行して、更に高周波側又は低周波側に隣接したチャンネルの信号を受信するため、ＶＣＯ１８からの局部発振信号の周波数がｆＲ１±２×ｆｓ＋ｆｉｆになるように、マイコン６よりＰＬＬＩＣ５に指示が与えられる。
【００４３】
ＳＴＥＰ４からＳＴＥＰ５に移行したとき、即ち、トランジスタＴｒ２がＯＮとなり、端子ＳＤへの信号がＬｏｗとなるとともにスイッチＳＷがＯＮとなったとき、ＩＦカウンタアンプ１６で増幅されたＩＦ信号がスイッチＳＷ及びコンデンサＣ２を介して端子Ｉｆに出力される。このとき、コンデンサＣ２は、直流成分除去するためのコンデンサとして働く。そして、端子ＩｆにＩＦカウンタアンプ１６からのＩＦ信号が入力されると、ＰＬＬＩＣ５において、このＩＦ信号の周波数が計測される。そして、このとき計測されたＩＦ信号の周波数ｆｃ１が、ｆｉｆ−Δｆ１≦ｆｃ１≦ｆｉｆ＋Δｆ１の許容範囲内にあるか否かが判別される（ＳＴＥＰ６）。
【００４４】
そして、ＳＴＥＰ６において、計測されたＩＦ信号の周波数が±Δｆ１の許容範囲内にあると判別された（Ｙｅｓ）とき、再び、端子Ｉｆに入力されるＩＦ信号の周波数が計測される（ＳＴＥＰ７）。又、逆に計測されたＩＦ信号の周波数が±Δｆ１の許容範囲内にないと判別された（Ｎｏ）とき、ＳＴＥＰ２に移行して、更に高周波側又は低周波側に隣接したチャンネルの信号を受信するため、ＶＣＯ１８からの局部発振信号の周波数がｆＲ１±２×ｆｓ＋ｆｉｆになるように、マイコン６よりＰＬＬＩＣ５に指示が与えられる。
【００４５】
ＳＴＥＰ６からＳＴＥＰ７に移行して、再びＩＦ信号の周波数がＰＬＬＩＣ５で計測されたとき、この計測されたＩＦ信号の周波数ｆｃ２が、ｆｉｆ−Δｆ２≦ｆｃ２≦ｆｉｆ＋Δｆ２の許容範囲内にあるか否かが判別される（ＳＴＥＰ８）。そして、ＳＴＥＰ８において、計測されたＩＦ信号の周波数が±Δｆ２の許容範囲内にあると判別された（Ｙｅｓ）とき、オートスキャンを停止するようにマイコン６が各部に指示を与える（ＳＴＥＰ９）。又、逆に計測されたＩＦ信号の周波数が±Δｆ２の許容範囲内にないと判別された（Ｎｏ）とき、ＳＴＥＰ２に移行して、更に高周波側又は低周波側に隣接したチャンネルの信号を受信するため、ＶＣＯ１８からの局部発振信号の周波数がｆＲ１±２×ｆｓ＋ｆｉｆになるように、マイコン６よりＰＬＬＩＣ５に指示が与えられる。
【００４６】
ＳＴＥＰ９でオートスキャンを停止する際、マイコン６より中間周波数帯域切換回路２１へ供給される直流電圧がグランド電圧となるとともに、局部発振信号の発振周波数を現在の発振周波数で固定するようにＰＬＬＩＣ５を制御する。よって、ダイオードＤ１が逆バイアスが印加された状態となって、ダイオードＤ１がＯＦＦし、中間周波数帯域切換回路２１がＯＦＦとなるとともに、ＶＣＯ１８からの局部発振信号の発振周波数が固定され、ＩＦアンプ１３で増幅されたＩＦ信号を、音声復調回路１２で復調して、オーディオアンプ７に出力する（ＳＴＥＰ１０）。このとき、オーディオアンプ７では、復調された音声信号が増幅され、最終的にスピーカー８で、この増幅された音声信号に基づいて、音声が出力される。
【００４７】
４．フィルタ部２の動作とオートスキャン時の効果
上述したように、フィルタ部２は、中間周波数帯域切換回路２１を有する構成となっている。そして、この中間周波数帯域切換回路２１は、放送信号受信時にはダイオードＤ１がＯＦＦとなるように、又、オートスキャン時にはダイオードＤ１がＯＮとなるように、マイコン６によって制御される。
【００４８】
まず、放送信号受信時のフィルタ部２の動作について、説明する。マイコン６よりグランド電圧となる直流電圧が出力されるため、ダイオードＤ１のアノード側の電位が、抵抗Ｒ８を介してグランド電圧となる。又、このとき、ダイオードＤ１のカソード側には、抵抗Ｒ９を介してグランド電圧より高いトランジスタＴｒ１のベース電圧がかかることとなる。
【００４９】
よって、ダイオードＤ１に逆バイアスが印加された状態となり、ダイオードＤ１がＯＦＦとなる。そのため、チューナ回路１より出力されるＩＦ信号が、フィルタ部ＦＬ１を通過するとともに、抵抗Ｒ３〜Ｒ６及びトランジスタＴｒ１によって構成される増幅回路で増幅される。そして、この増幅されたＩＦ信号が、フィルタＦＬ２を通過してノイズ成分が除去された後、復調部４に出力される。尚、ダイオードＤ１に逆バイアスが印加されてＯＦＦとされているので、そのアイソレーションが良くなり、ノイズの漏れがなくなる。
【００５０】
次に、オートスキャン時のフィルタ部２の動作について、説明する。上述したように、オートスキャンするようにマイコン６にキー入力されると、マイコン６より電圧信号が中間周波数帯域切換回路２１に出力され、抵抗Ｒ７とコンデンサＣ４との接続ノードにグランド電圧より高い直流電圧が印加される。このとき、コンデンサＣ４は、バイパスコンデンサとして働く。よって、ダイオードＤ１のアノード側には、抵抗Ｒ７と抵抗Ｒ８とで分圧された直流電圧が印加される。この抵抗Ｒ７，Ｒ８で分圧された電圧がトランジスタＴｒ１のベース電圧より高くなるように、マイコン６から出力される直流電圧を設定すると、ダイオードＤ１に順バイアスが印加された状態となり、ダイオードＤ１がＯＮとなる。
【００５１】
ダイオードＤ１がＯＮとなると、フィルタＦＬ１とコンデンサＣ３とが並列に接続された状態となり、このフィルタＦＬ１とコンデンサＣ３とによって新たに構成されるフィルタの選択度の幅が広くなり、このフィルタを通過する信号の周波数帯域が広くなる。これは、交流信号の通過が可能であるコンデンサＣ３→ダイオードＤ１→抵抗Ｒ９→トランジスタＴｒ１のベースという経路ができるためである。
【００５２】
このようにして、放送受信時よりも広い周波数帯域の信号がトランジスタＴｒ１のベースに入力されて増幅された後、フィルタＦＬ２を通過して、ノイズ成分が除去され、復調部４に入力される。尚、このとき、抵抗Ｒ７が、チューナ回路１の出力信号に対する負荷抵抗として働くとともに、抵抗Ｒ９がチューナ回路１とトランジスタＴｒ１などによる増幅回路との間のインピーダンス整合用の抵抗として働く。
【００５３】
このように動作するフィルタ部２による効果を、図３を参照して、以下に説明する。尚、図３は、従来の放送信号受信装置、本実施形態の放送信号受信装置のそれぞれにおける、フィルタの選択度特性と各部の動作の関係を示す図である。又、図３（ａ）は、縦軸がトランジスタＴｒ２のベースに印加される最終電圧を、横軸が周波数を表す各フィルタの選択度特性を示すグラフであり、図３（ｂ）は、各部の動作を示すタイミングチャートであり、図３（ｃ）は、トランジスタＴｒ２のベースに印加される電圧の時間的な変遷を示すグラフである。
【００５４】
図３（ａ）のように、従来の放送信号受信装置におけるフィルタ部１００（図６）の選択度特性は、トランジスタＴｒ２のベースに印加される最大電圧が、中間周波数ｆｉｆで最大Ｖａ（Ｖａ＞ＶＴＨ）となるとともに、周波数ｆｉｆ±ｆｓで０となる。このフィルタ部１００の選択度特性は、放送信号受信時のフィルタ部２の選択度特性と同一である。又、オートスキャン時のフィルタ部２の選択度特性は、通過する周波数帯域が広くなるため、トランジスタＴｒ２のベースに印加される最大電圧が、中間周波数ｆｉｆで最大Ｖａとなるとともに、周波数ｆｉｆ±ｆｓでＶｂ（ＶＴＨ＞Ｖｂ＞０）となる。
【００５５】
今、従来と同様、周波数ｆＲ１の放送信号を受信しているときに、ユーザーがスキャンアップするように放送信号受信装置を操作したとき、次の周波数ｆＲ２の放送信号を受信するまで、チャンネル間周波ｆｓ毎に周波数を高くして、オートスキャンを行う。図３（ｂ）には、オートスキャン時の各部の動作を表すとともに、図３（ｃ）には、このときのトランジスタＴｒ２のベース電圧の変遷を表す。又、図３（ｂ）において、ＳＤ１が、従来の放送信号受信装置における端子ＳＤへの入力信号の状態を、ＳＤ２が、本実施形態の放送信号受信装置における端子ＳＤへの入力信号の状態を表す。
【００５６】
周波数ｆＲ１＋ｆｓ〜ｆＲ２−ｆｓのチャンネルには、放送信号が存在しないため、従来の放送信号受信装置では、復調部４に入力されるＩＦ信号の振幅レベルが０となり、レベル検出回路１４からコンデンサＣ１に与えられる電圧が０のままである。よって、図３（ｃ）のａ→ｂのように、周波数ｆＲ１＋ｆｓ〜ｆＲ２−ｆｓの信号が受信されている間に、トランジスタＴｒ２のベース電圧が閾値電圧ＶＴＨより低くなり、ＳＤ１のように、端子ＳＤへの入力信号がＬｏｗからＨｉに切り替わる。よって、上述したように、周波数ｆＲ１＋ｆｓ〜ｆＲ２−ｆｓの信号が受信されている間は、スキャンアップが続けられる。
【００５７】
又、本実施形態の放送信号受信装置は、図３（ａ）のように、フィルタ部２を通過する周波数帯域が広くなるため、周波数ｆＲ１＋ｆｓの信号を受信しているときは、周波数ｆＲ１の放送信号がチューナ回路１で変換された周波数ｆｉｆ−ｆｓの信号がフィルタ部２を通過する。このとき、フィルタ部２を通過する周波数ｆｉｆ−ｆｓの信号の信号レベルがレベル検出回路１４でＶｂと検出されるため、図３（ｃ）のａ→ｄのように、トランジスタＴｒ２のベース電圧がＶａからＶｂ近傍に低下する。よって、周波数ｆＲ１＋ｆｓの信号を受信中に、トランジスタＴｒ２のベース電圧が閾値電圧ＶＴＨより低くなり、ＳＤ２のように、端子ＳＤへの入力信号がＬｏｗからＨｉに切り替わる。
【００５８】
そして、周波数ｆＲ１＋２×ｆｓ〜ｆＲ２−２×ｆｓの信号が受信されているときは、フィルタ部２を通過する信号に放送信号が含まれていないので、図３（ｃ）のｄ→ｅのように、コンデンサＣ１が放電されて、トランジスタＴｒ２のベース電圧が０となる。このとき、ＳＤ２のように、トランジスタＴｒ２のベース電圧が閾値電圧ＶＴＨより低くなるため、端子ＳＤに入力される信号がＨｉである。
【００５９】
又、周波数ｆＲ２−ｆｓの信号を受信しているときは、図３（ａ）のように、フィルタ部２を通過する信号の周波数帯域が広くなるため、周波数ｆＲ２の放送信号がチューナ回路１で変換された周波数ｆｉｆ＋ｆｓの信号がフィルタ部２を通過する。よって、図３（ｃ）のｅ→ｆのように、コンデンサＣ１が蓄電して、トランジスタＴｒ２のベース電圧がＶｂ近傍に上昇する。しかしながら、Ｖｂ＜ＶＴＨであるので、ＳＤ２のように、端子ＳＤに入力される信号がＨｉである。
【００６０】
そして、更に、周波数ｆＲ２−ｆｓからスキャンアップして周波数ｆＲ２の信号が受信されるとき、従来の放送信号受信装置では、レベル検出回路１４においてＩＦ信号の振幅レベルＶａが検出され、コンデンサＣ１が蓄電して、図３（ｃ）のｂ→ｃのように、トランジスタＴｒ２のベース電圧が上昇する。又、本実施形態の放送信号受信装置では、同様に、レベル検出回路１４においてＩＦ信号の振幅レベルＶａが検出され、コンデンサＣ１が蓄電して、図３（ｃ）のｆ→ｇ→ｈのように、トランジスタＴｒ２のベース電圧が上昇する。
【００６１】
今、従来の放送信号受信装置における端子ＳＤへの入力信号の応答時間ｔＳＤ１と、本実施形態の放送信号受信装置における端子ＳＤへの入力信号の応答時間ｔＳＤ２と、確認時間ＴＲとの関係を、ｔＳＤ２＜ＴＲ＜ｔＳＤ１とすると、図３（ｂ）のように、ＳＤ１はＨｉのままであるが、ＳＤ２はＬｏｗに切り替わる。
【００６２】
即ち、図３（ｃ）のように、従来の放送信号受信装置は、受信信号の周波数がｆＲ２に移行してから時間ＴＲが経過したとき、ｃのように、トランジスタＴｒ２のベース電圧が閾値電圧ＶＴＨよりも低いため、確認期間の間、端子ＳＤへの入力信号が切り替わることがない。それに対して、本実施形態の放送信号受信装置では、周波数ｆＲ２−ｆｓの信号を受信している間に、コンデンサＣ１が蓄電しているため、周波数ｆＲ２の信号を受信したとき、トランジスタＴｒ２のベース電圧がｆ→ｇのように変化し、確認時間ＴＲより短いｔＳＤ２で閾値電圧ＶＴＨに達し、端子ＳＤへの入力信号が切り替わる。
【００６３】
よって、本実施形態の放送信号受信装置によると、オートスキャンを行って周波数ｆＲ２の信号を受信する際、従来のものよりも短い応答時間ＴＲの間に、放送信号が受信されたことをＰＬＬＩＣ５で検知することができる。よって、応答時間ＴＲを従来よりも短くすることができるため、オートスキャン動作において、各チャンネル内における放送信号の有無を検出するのにかかる時間を短縮することができ、結果的にオートスキャンにかかる時間を従来よりも短縮することができる。
【００６４】
＜第２の実施形態＞
本発明の第２の実施形態について、図面を参照して説明する。図４は、本実施形態の放送信号受信装置の内部構成を示すブロック図である。尚、図４の放送信号受信装置において、図１の放送信号受信装置と同一の目的で使用する部分については、同一の符号を付してその詳細な説明を省略する。
【００６５】
１．放送信号受信装置の構成
図４の放送信号受信装置は、図１の放送信号受信装置のフィルタ部２の代わりに、増幅率切換回路２２が新たに設けられたフィルタ部２ａを備えた放送信号受信装置である。このフィルタ部２ａは、フィルタ部２（図１）と同様、フィルタＦＬ１，ＦＬ２と、抵抗Ｒ３，Ｒ４，Ｒ５，Ｒ６とトランジスタＴｒ１で構成される増幅回路と、抵抗Ｒ７，Ｒ８，Ｒ９及びダイオードＤ１及びコンデンサＣ３，Ｃ４で構成される中間周波数帯域切換回路２１とを有し、そして、抵抗Ｒ１０，Ｒ１１及びｎｐｎ型トランジスタＴｒ３で構成されるとともにトランジスタＴｒ１のエミッタ側に接続される抵抗値を変更することでトランジスタＴｒ１などで構成される増幅回路の増幅率を切り換える増幅率切換回路２２とから構成される。
【００６６】
又、この増幅率切換回路２２において、トランジスタＴｒ３のコレクタがトランジスタＴｒ１のエミッタと接続されるとともに、エミッタが抵抗Ｒ１０を介して接地される。そして、マイコン６より出力される直流電圧が抵抗Ｒ１１を介して、トランジスタＴｒ３のベースに与えられる。
【００６７】
このように構成される放送信号受信装置は、放送信号を受信する際における受信放送の再生動作は、後述するように、フィルタ部２ａの増幅率切換回路２２が中間周波数帯域切換回路２１と同様に動作しないため、第１の実施形態の放送信号受信装置（図１）と同様の動作を行う。よって、この受信放送の再生動作は第１の実施形態を参照するものとして、省略する。
【００６８】
尚、このとき、抵抗Ｒ７，Ｒ１１及びコンデンサＣ４の接続ノードに接続されたマイコン６よりグランド電圧となる直流電圧が出力される。よって、第１の実施形態と同様、ダイオードＤ１には逆バイアスが印加された状態となるため、中間周波数帯域切換回路２１が動作しない。又、トランジスタＴｒ３のベースに抵抗Ｒ１１を介してグランド電圧が印加されるため、トランジスタＴｒ３がＯＦＦとなり、増幅率切換回路２２が動作しない。
【００６９】
又、オートスキャン時における本実施形態の放送信号受信装置は、第１の実施形態と同様、図２のようなフローチャートに基づいて動作を行う。このとき、フィルタ部２ａ内の増幅率切換回路２２を、ＳＴＥＰ１でＯＮとするとともにＳＴＥＰ９でＯＦＦする以外は、第１の実施形態と同様の動作を行うので、図２のフローチャートに基づく動作についての説明は省略する。
【００７０】
尚、ＳＴＥＰ１において、抵抗Ｒ７，Ｒ１１及びコンデンサＣ４の接続ノードに接続されたマイコン６よりグランド電圧より高い電圧の直流電圧が出力される。よって、第１の実施形態と同様、ダイオードＤ１に順バイアスが印加された状態となり、中間周波数帯域切換回路２１が動作する。又、トランジスタＴｒ３のベースに抵抗Ｒ１１を介してハイレベルとなる直流電圧が印加されるため、トランジスタＴｒ３がＯＮとなり、増幅率切換回路２２が動作する。
【００７１】
又、ＳＴＥＰ９において、抵抗Ｒ７，Ｒ１１及びコンデンサＣ４の接続ノードに接続されたマイコン６よりグランド電圧となる直流電圧が出力される。よって、ダイオードＤ１のカソードに抵抗Ｒ９を介して逆バイアスが印加された状態となるため、中間周波数帯域切換回路２１の動作が停止する。又、トランジスタＴｒ３のベースに抵抗Ｒ１１を介してグランド電圧が印加されるため、トランジスタＴｒ３がＯＦＦとなり、増幅率切換回路２２の動作が停止する。
【００７２】
以下、フィルタ部２ａについて説明する。
【００７３】
２．フィルタ部２ａの動作とオートスキャン時の効果
上述したように、フィルタ部２ａは、中間周波数帯域切換回路２１及び増幅率切換回路２２を有する構成となっている。そして、この中間周波数帯域切換回路２１及び増幅率切換回路２２は、放送信号受信時にはダイオードＤ１及びトランジスタＴｒ３がＯＦＦとなるように、又、オートスキャン時にはダイオードＤ１及びトランジスタＴｒ３がＯＮとなるように、マイコン６によって制御される。
【００７４】
まず、放送信号受信時のフィルタ部２ａの動作について、説明する。マイコン６よりグランド電圧となる直流電圧が出力されるため、上述したように、ダイオードＤ１に逆バイアスが印加された状態とするとともに、トランジスタＴｒ３のベースに抵抗Ｒ１１を介してローレベルの信号を与えた状態とする。
【００７５】
よって、ダイオードＤ１及びトランジスタＴｒ３がＯＦＦとなるため、チューナ回路１より出力されるＩＦ信号が、フィルタ部ＦＬ１を通過するとともに、抵抗Ｒ３〜Ｒ６及びトランジスタＴｒ１によって構成される増幅回路で増幅される。そして、この増幅されたＩＦ信号が、フィルタＦＬ２を通過してノイズ成分が除去された後、復調部４に出力される。尚、ダイオードＤ１に逆バイアスが印加されてＯＦＦとされているので、そのアイソレーションが良くなり、ノイズの漏れがなくなる。
【００７６】
次に、オートスキャン時のフィルタ部２ａの動作について、説明する。上述したように、オートスキャンするようにマイコン６にキー入力されると、マイコン６より電圧信号が中間周波数帯域切換回路２１及び増幅率切換回路２２に出力され、抵抗Ｒ７，Ｒ１１とコンデンサＣ４との接続ノードにグランド電圧より高い直流電圧が印加される。そして、ダイオードＤ１に順バイアスが印加された状態となり、ダイオードＤ１がＯＮとなるとともに、トランジスタＴｒ３のベースにハイレベルの直流電圧が印加された状態となり、トランジスタＴｒ３がＯＮとなる。
【００７７】
ダイオードＤ１がＯＮとなると、フィルタＦＬ１とコンデンサＣ３とが並列に接続された状態となり、このフィルタＦＬ１とコンデンサＣ３とによって新たに構成されるフィルタの選択度の幅が広くなり、このフィルタを通過する信号の周波数帯域が広くなる。又、トランジスタＴｒ３がＯＮとなることで、トランジスタＴｒ１のエミッタに接続される負荷抵抗が、抵抗Ｒ６，Ｒ１０の並列抵抗となるため、トランジスタＴｒ１のエミッタとグランド間に接続される負荷抵抗の抵抗値が小さくなる。よって、トランジスタＴｒ１及び抵抗Ｒ３〜Ｒ６，Ｒ１０で構成される増幅回路の増幅率が、放送信号受信時に比べて増加する。
【００７８】
このようにして、放送受信時よりも広い周波数帯域の信号がトランジスタＴｒ１のベースに入力されて放送受信時よりも高い増幅率で増幅された後、フィルタＦＬ２を通過して、ノイズ成分が除去され、復調部４に入力される。
【００７９】
このように動作するフィルタ部２ａによる効果を、図５を参照して、以下に説明する。図５は、従来の放送信号受信装置、第１の実施形態の放送信号受信装置、及び本実施形態の放送信号受信装置のそれぞれにおける、フィルタの選択度特性と各部の動作の関係を示す図である。又、図５（ａ）が、縦軸がトランジスタＴｒ２のベースに印加される最終電圧を、横軸が周波数を表す各フィルタの選択度特性を示すグラフであり、図５（ｂ）が、各部の動作を示すタイミングチャートであり、図５（ｃ）が、トランジスタＴｒ２のベースに印加される電圧の時間的な変遷を示すグラフである。尚、図５に示す従来及び第１の実施形態の放送信号受信装置についての各種特性及び動作は、図３に示すものと同様であるので、第１の実施形態を参照とするものとし、詳細な説明を省略する。
【００８０】
本実施形態の放送信号受信装置におけるフィルタ部２ａの選択度特性は、トランジスタＴｒ１を含んだ増幅回路の増幅率が大きくなり、復調部４に入力されるＩＦ信号の振幅レベルが大きくなる。よって、フィルタ部２ａを通過する周波数帯域における各周波数の信号のレベルが大きくなり、図５（ａ）のように、中間周波数ｆｉｆで最大Ｖｃとなるとともに、周波数ｆｉｆ±ｆｓでＶｄ（Ｖｄ＞０）となる。尚、Ｖｃ＞Ｖａ、ＶＴＨ＞Ｖｄ＞Ｖｂである。このようにフィルタ部２ａを通過する信号の振幅レベルが、フィルタ部１００（図６）及びフィルタ部２（図１）と比べて大きくなることがわかる。
【００８１】
今、第１の実施形態と同様、周波数ｆＲ１の放送信号を受信しているときに、ユーザーがスキャンアップするように放送信号受信装置を操作したとき、次の周波数ｆＲ２の放送信号を受信するまで、チャンネル間周波ｆｓ毎に周波数を高くして、オートスキャンを行う。図５（ｂ）には、オートスキャン時の各部の動作を表すとともに、図５（ｃ）には、このときのトランジスタＴｒ２のベース電圧の変遷を表す。又、図５（ｂ）において、ＳＤ１が、従来の放送信号受信装置における端子ＳＤへの入力信号の状態を、ＳＤ２が、第１の実施形態の放送信号受信装置における端子ＳＤへの入力信号の状態を、ＳＤ３が、本実施形態の放送信号受信装置における端子ＳＤへの入力信号の状態を表す。
【００８２】
本実施形態の放送信号受信装置は、図５（ａ）のように、従来のフィルタ部１００と比べてフィルタ部２ａを通過する周波数帯域が広くなるため、周波数ｆＲ１＋ｆｓの信号を受信しているときは、周波数ｆＲ１の放送信号がチューナ回路１で変換された周波数ｆｉｆ−ｆｓの信号がフィルタ部２ａを通過する。このとき、フィルタ部２ａを通過する周波数ｆｉｆ−ｆｓの信号の信号レベルがレベル検出回路１４でＶｄと検出されるため、図５（ｃ）のｉ→ｊのように、トランジスタＴｒ２のベース電圧がＶｃからＶｄ近傍に低下する。よって、周波数ｆＲ１＋ｆｓの信号を受信中に、トランジスタＴｒ２のベース電圧が閾値電圧ＶＴＨより低くなり、ＳＤ３のように、端子ＳＤへの入力信号がＬｏｗからＨｉに切り替わる。
【００８３】
そして、周波数ｆＲ１＋２×ｆｓ〜ｆＲ２−２×ｆｓの信号が受信されているときは、フィルタ部２を通過する信号に放送信号が含まれていないので、図５（ｃ）のｊ→ｅのように、コンデンサＣ１が放電されて、トランジスタＴｒ２のベース
電圧が０となる。このとき、ＳＤ３のように、トランジスタＴｒ２のベース電圧が閾値電圧ＶＴＨより低くなるため、端子ＳＤに入力される信号がＨｉである。
【００８４】
又、周波数ｆＲ２−ｆｓの信号を受信しているときは、図５（ａ）のように、フィルタ部２ａを通過する信号の周波数帯域が広くなるため、周波数ｆＲ２の放送信号がチューナ回路１で変換された周波数ｆｉｆ＋ｆｓの信号がフィルタ部２を通過する。よって、図５（ｃ）のｅ→ｋのように、コンデンサＣ１が蓄電して、トランジスタＴｒ２のベース電圧がＶｄ近傍に上昇する。しかしながら、Ｖｄ＜ＶＴＨであるので、ＳＤ３のように、端子ＳＤに入力される信号がＨｉである。
【００８５】
そして、更に、周波数ｆＲ２−ｆｓからスキャンアップして周波数ｆＲ２の信号が受信されるとき、レベル検出回路１４においてＩＦ信号の振幅レベルＶｃが検出され、コンデンサＣ１が蓄電して、図５（ｃ）のｋ→ｌ→ｍのように、トランジスタＴｒ２のベース電圧が上昇する。
【００８６】
今、本実施形態の放送信号受信装置における端子ＳＤへの入力信号の応答時間ｔＳＤ３とし、従来及び第１の実施形態の放送信号受信装置における端子ＳＤへの入力信号の応答時間ｔＳＤ１，ｔＳＤ２と比較したとき、ｔＳＤ３＜ｔＳＤ２＜ｔＳＤ１となることがわかる。このように本実施形態における端子ＳＤへの入力信号の応答時間が第１の実施形態に比べて短くなるのは、周波数ｆＲ２の信号の受信を開始したとき、図５（ｃ）のｆ，ｋを比較してわかるように、本実施形態の放送信号受信装置
におけるトランジスタＴｒ２のベース電圧が高いためである。
【００８７】
よって、本実施形態の放送信号受信装置によると、オートスキャンを行って周波数ｆＲ２の信号を受信する際、従来及び第１の実施形態のものよりも短い応答時間ＴＲの間に、放送信号が受信されたことをＰＬＬＩＣ５で検知することができる。よって、応答時間ＴＲを従来及び第１の実施形態よりも短くすることができるため、オートスキャン動作において、各チャンネル内における放送信号の有無を検出するのにかかる時間を短縮することができ、結果的にオートスキャンにかかる時間を従来よりも短縮することができる。
【００８８】
以上の第１及び第２の実施形態ように、フィルタ部に、中間周波数帯域切換部や増幅率切換部を設けることによって、フィルタ部の選択度特性や復調部へ出力するＩＦ信号の信号レベルを変更することで、オートスキャン時における放送信号の検出に要する応答時間を短縮することができる。又、上述したようにフィルタ部の通過周波数帯域を隣接チャンネルまで広くしたとき、放送信号を有するチャンネルの隣接チャンネルを誤選局する可能性がある。しかしながら、図２で説明したように、ＳＴＥＰ５〜ＳＴＥＰ８において、選局された信号の中間周波数が許容範囲内であるか否か確認される。よって、この許容範囲をチャンネルステップよりも狭い範囲とすることで、誤選局を防ぐことができる。
【００８９】
以下に、ＦＭ放送の放送信号受信装置を用いた例を挙げて説明する。ＦＭ放送の場合、チャンネルステップが５０ｋＨｚ又は１００ｋＨｚであり、又、中間周波数が１０．７ＭＨｚとされる。よって、図２のステップ６での許容範囲を、１０．７ＭＨｚ−６０ｋＨｚ〜１０．７ＭＨｚ＋６０ｋＨｚとすることで、チャンネルステップが１００ｋＨｚの場合、隣接チャンネルで受信された放送信号がＩＦ信号に変換されたとき、その周波数が１０．７ＭＨｚ−１００ｋＨｚとなるため、放送信号の存在するチャンネルと判定されない。又、図２のステップ８での許容範囲を、１０．７ＭＨｚ−１５ｋＨｚ〜１０．７ＭＨｚ＋１５ｋＨｚとすることで、チャンネルステップが５０ｋＨｚの場合、隣接チャンネルで受信された放送信号がＩＦ信号に変換されたとき、その周波数が１０．７ＭＨｚ−５０ｋＨｚとなるため、放送信号の存在するチャンネルと判定されない。
【００９０】
このように、放送信号が存在するチャンネルに隣接するチャンネルにおいて、端子ＳＤへの入力信号が切り替わり誤選局されたとしても、ＰＬＬＩＣ５において、その選局されたチャンネルにおけるＩＦ信号の周波数を計測することで、誤選局であることが認識され、オートスキャンが再開される。
【００９１】
尚、第１及び第２の実施形態において、オートスキャンを行って、放送信号を受信した際、レベル検出回路１４の内部等価抵抗Ｒ１及びコンデンサＣ１で構成される積分回路において、コンデンサＣ１が蓄電されたままの状態としたが、リセット回路を設けて、コンデンサＣ１が放電され、トランジスタＴｒ２のベース電圧をグランド電圧にリセットするようにしても構わない。
【００９２】
又、放送信号受信時において、レベル検出回路１４とコンデンサＣ１との電気的な接続を切断するようにしても構わない。このようにすることで、トランジスタＴｒ２がＯＦＦとなるとともに、スイッチＳＷがＯＦＦとなり、中間周波数を計測するための回路の動作を停止することができるので、このような回路に供給される電力を抑えて、装置全体の消費電力を低減させることができる。
【００９３】
更に、本明細書において、音声信号を再生するような放送信号受信装置を例にして、本発明を説明したが、テレビ信号ような映像信号及び音声信号を含む放送信号を受信し、映像信号及び音声信号を再生するような放送信号受信装置に、本発明を適用しても構わない。
【００９４】
【発明の効果】
本発明によると、自動選局を行う際、自動選局回路に与えられる信号が、現在受信中のチャンネル及びこのチャンネルの隣接チャンネルにおける信号となる。よって、自動選局回路において、フィルタ回路より入力される信号の信号レベルに基づいて、放送信号の有無を判断するため、自動選局時における放送信号の受信確認を早く行うことができる。そして、このように自動選局にかかる時間が短縮できるため、放送バンド全体域における各放送局のチャンネル周波数を、短時間で放送信号受信装置にプリセットメモリーさせることができる。又、増幅率切換回路を有しているので、自動選局時に比較的電界強度の弱い放送信号をも検出することができる。
【図面の簡単な説明】
【図１】第１の実施形態の放送信号受信装置の内部構成を示すブロック図。
【図２】オートスキャン時の動作を示すフローチャート。
【図３】第１の実施形態の放送信号受信装置におけるフィルタ部のフィルタ特性及び各部の動作を示すタイムチャート。
【図４】第２の実施形態の放送信号受信装置の内部構成を示すブロック図。
【図５】第２の実施形態の放送信号受信装置におけるフィルタ部のフィルタ特性及び各部の動作を示すタイムチャート。
【図６】従来の放送信号受信装置の内部構成を示すブロック図。
【図７】従来の放送信号受信装置における各部の動作を示すタイムチャート。
【図８】従来の放送信号受信装置における各部の動作を示すタイムチャート。
【符号の説明】
１    チューナ回路
２    フィルタ部
３    ＬＰＦ
４    復調部
５    ＰＬＬＩＣ
６    マイコン
【図１】
0003608651.tif 000002
【図２】
0003608651.tif 000003
【図３】
0003608651.tif 000004
【図４】
0003608651.tif 000005
【図５】
0003608651.tif 000006
【図６】
0003608651.tif 000007
【図７】
0003608651.tif 000008
【図８】
0003608651.tif 000009